(57)【要約】【課題】魚釣用リールの小型化に寄与することが可能で、かつ、魚釣用リールの操作性を向上させることが可能な魚釣用リールの一部に使用される締付部材を提供する。【解決手段】魚釣用リール１０の一部に使用される締付部材９０は、ハンドル軸２６を支軸としてその軸回りに回転／回動可能なハンドルアーム２２を前記ハンドル軸２６に螺合固定するように、内周面の全域にネジ切りしたナット９２の一端を、前記ナット９２と別体のカバー９４で閉塞してなる。【選択図】図１
2007089447.tif 000002
【特許請求の範囲】
【請求項１】
魚釣用リールの一部に使用される締付部材であって、
軸部の端部に取り付けられる操作部材を螺合固定するように、内周面の全域にネジ切りしたナットの一端を、前記ナットと別体のカバーで閉塞してなることを特徴とする魚釣用リールの一部に使用される締付部材。
【請求項２】
前記操作部材は、前記魚釣用リールのリール本体に取り付けられるハンドルであることを特徴とする請求項１に記載の魚釣用リールの一部に使用される締付部材。
【発明の詳細な説明】
【技術分野】
【０００１】
本発明は、スプールに釣糸を巻き付けて使用する魚釣用リールの一部に使用される締付部材に関する。
【背景技術】
【０００２】
特許文献１ないし特許文献３には、魚釣用リールについて開示されている。これら魚釣用リールのハンドル軸には、ハンドルを固定するとともに、ハンドル軸の端部が外部に露出しないように、ハンドル軸の端部にナットを締め付けて閉塞している。
【特許文献１】実開昭５６−９７９６７号公報
【特許文献２】実開昭５７−８０２７１号公報
【特許文献３】意匠登録第１００５５０８号の類似３号公報
【発明の開示】
【発明が解決しようとする課題】
【０００３】
例えば特許文献１に開示された魚釣用リールのナットは、全てが一体で形成されているので、そのナットの内周面にネジを切る際、内径部の端部に空洞の不完全ネジ部を設けなければならない。このため、その不完全ネジ部の分だけナットが突出し、大型化してしまう。
【０００４】
このようなナットの大型化により、ハンドルの回転操作時に手の平や指がナットの突出部に突き当てられることがあり、操作の邪魔になる。これは、特に、小型の魚釣用リールやハンドル本体がリール本体側に屈曲して取り付けられるハンドルを有する魚釣用リールにおいて顕著に表れる。  
本発明は、このような事情に基づいてなされたもので、魚釣用リールの小型化に寄与することが可能で、かつ、魚釣用リールの操作性を向上させることが可能な魚釣用リールの一部に使用される締付部材を提供することを目的とする。
【課題を解決するための手段】
【０００５】
上記目的を達成する本発明の魚釣用リールの一部に使用される締付部材は、軸部の端部に取り付けられる操作部材を螺合固定するように、内周面の全域にネジ切りしたナットの一端を、前記ナットと別体のカバーで閉塞してなることを特徴とする。
【発明の効果】
【０００６】
本発明に係る魚釣用リールの一部に使用される締付部材は、ナットの内周面の全域にわたってネジ切りされているのでナットに不完全ネジ部が形成されることが防止され、かつ、軸部の端部とナットの端部とを面一や略面一状態に合わせた状態でカバーによって閉塞することができるので、ナットの内側に無駄な空間が形成されることを防止することができる。このように無駄な空間を排除できる分、ナットの高さを低くすることができ、したがって、魚釣用リールの幅などを小さくし、操作性の向上を図ることができる。
【発明を実施するための最良の形態】
【０００７】
図１は、本発明の好ましい実施形態による魚釣用リール１０を示す。  
本実施形態の魚釣用リール１０は、両軸受型手巻きリールとして形成されている。この魚釣用リール１０のリール本体１２は、概略的に示す連結部材１４等で一体化される左右１対のフレーム１６ａ，１６ｂのそれぞれの外側に、例えばビス、螺合あるいは嵌合等の手段により、側板１８ａ，１８ｂを取り付けて、全体的に剛性構造のハウジングが形成されている。このリール本体１２は、リール本体１２に設けられる取付脚部（図示せず）を介して図示しない釣竿に固定される。
【０００８】
このリール本体１２のフレーム１６ａ，１６ｂ間には、スプール２０ａが装着されている。スプール２０ａには、スプール２０ａと共に回転するスプール軸２０の両端部が、例えばボール軸受（図示せず）を介して回転自在に支持されている。このスプール軸２０の一端側には、ハンドルアーム（操作部材）２２の回転操作により回転駆動されるピニオンギア２４がこのスプール軸２０と同軸状に配置されている。
【０００９】
このハンドルアーム２２がその外側端部に回り止め固定され、その軸回りに回転可能なハンドル軸（軸部）２６は、図１（Ａ）中の右側に示す右側板１８ｂに形成された円筒突部２８ｂ内の駆動筒部２８ａ内に配置されている。駆動筒部２８ａは、円筒突部２８ｂの内側にボール軸受３０を介して回転可能に支持されている。ハンドル軸２６は、ハンドルアーム２２に近接した先端側が駆動筒部２８ａ、ボール軸受３０、円筒突部２８ｂを介して右側板１８ｂに対して回転自在に支持されている。  
また、ハンドル軸２６の基部に設けた支持端部３２は、右側板１８ｂと右フレーム１６ｂとの間に形成された一定の空間領域を貫通し、右フレーム１６ｂに設けられたボール軸受３０ａを介してこの右フレーム１６ｂに回転自在に支持されている。
【００１０】
このハンドル軸２６が貫通する空間領域には、駆動機構３６が収容されている。この駆動機構３６は、操作用ツマミ２２ａを介してハンドルアーム２２で形成される回転力をスプール軸２０の右端部側に伝達し、これによりスプール２０ａを回転させる。一方、このスプール２０ａの左端部側には、磁気制動式のバックラッシュ防止機構３８が設けられている。このバックラッシュ防止機構３８は、例えば磁界内で回転する導電体内の渦電流によりスプール２０ａを制動し、スプール２０ａの過回転を防止することによって釣糸繰出時のバックラッシュを防止する。
【００１１】
右フレーム１６ｂと右側板１８ｂとの間の空間領域内に収容した駆動機構３６は、本実施形態では、スプール軸２０と同軸状でかつ軸方向に沿って移動可能なピニオンギア２４と、ハンドル軸２６に回転可能に設けられた駆動歯車４２と、この駆動歯車４２とハンドル軸２６との間に設けられたドラグ機構４４とにより形成されている。
【００１２】
ピニオンギア２４は、スプール軸２０と同軸上に配置されたピニオン軸４８の外周に嵌挿され、右フレーム１６ｂと右側板１８ｂに設けた軸受（図示せず）により回転可能に支持されている。ピニオンギア２４は、クラッチ機構５０をＯＮ／ＯＦＦ操作することによって、スプール軸２０に係合してスプール軸２０と一体的に回転する係合位置と、スプール軸２０との係合状態が解除された非係合位置との間を移動させることができる。具体的には、ピニオンギア２４に形成された周方向溝２４ａに係合しているクラッチプレートが、クラッチ機構５０のＯＮ／ＯＦＦ操作に連動して、ピニオン軸４８に沿って移動することにより、ピニオンギア２４を係合位置（釣糸巻取可能状態；クラッチＯＮ）と非係合位置（スプールフリー回転状態；クラッチＯＦＦ）とに移動させることができる。
【００１３】
ピニオンギア２４を駆動する駆動歯車４２は、ハンドルアーム２２に近接した表側が開口端を形成しかつ離隔した裏側が閉鎖端を形成する軸方向に短い筒状形状を有し、この内側に、上述したドラグ機構４４が収容されている。  
このドラグ機構４４は、駆動歯車４２と一体回転するように配された金属ワッシャと、ハンドル軸２６に回り止めされた複数の金属ワッシャとを軸方向に沿って交互に配置し、これらの金属ワッシャ間に、ライニング材が介挿されている。ハンドル軸２６の外周部に螺合した制動力調節レバー５６を回転操作して、駆動歯車４２の閉鎖端側の底壁に向け、これらの金属ワッシャおよびライニング材を軸方向に押圧することによって、所望のドラグ力を付与することができる。
【００１４】
この魚釣用リール１０では、クラッチＯＮ状態で、ハンドルアーム２２を回転操作すると、このハンドル軸２６の回転運動がドラグ機構４４を介して駆動歯車４２に伝達され、この駆動歯車４２に噛合うピニオンギア２４が回転される。これにより、クラッチ機構５０を介してピニオンギア２４に係合しているスプール軸２０が連動して回転し、スプール２０ａを釣糸巻取方向に回転させる。駆動歯車４２とハンドル軸２６との間に介挿されたドラグ機構４４は、制動力調節レバー５６の回転操作量に応じたドラグ力、すなわち制動力を超える力が釣糸に作用したときに、スプール２０ａを空転させる。
【００１５】
図１に示すように、本実施形態の制動力調節レバー５６は、ハンドル軸２６のボス部６０からハンドルアーム２２に沿って配設されている。制動力調節レバー５６を、ハンドル軸２６の軸芯を中心として時計方向に回動させると、ドラグ機構４４の金属ワッシャおよびライニング材が駆動歯車４２側に締め付けられてドラグ力が増大され、逆に、反時計方向に回動させると、ドラグ力が減少される。
【００１６】
本実施形態では、ハンドル軸２６と右側板１８ｂの円筒突部２８ｂと、ハンドル軸２６に回り止め嵌合した駆動筒部２８ａとの間に、転がり式一方向クラッチ６２が設けられており、この転がり式一方向クラッチ６２によって、ハンドル軸２６は、釣糸巻取方向にのみ回転するように、その回転方向が規制されている。このような一方向クラッチ６２に代えて例えば逆転防止用のラチェット等の他の手段を設けることも可能である。
【００１７】
ハンドル軸２６の基部には、支持端部３２に近接した位置に、駆動歯車４２と後述するレベルワインド機構６６の駆動ギア６６ａとを連動させる連動ギア６６ｂが回転可能に設けられている。この連動ギア６６ｂには、上述した駆動歯車４２の閉鎖端（ハンドルアーム２２の反対側）に形成された複数（本実施形態では、１８０度間隔で２個形成されている）の穴に嵌合可能な複数の突起が設けられている。これらの突起と穴とを介して連動ギア６６ｂを駆動歯車４２に連結することにより、連動ギア６６ｂは、常に、駆動歯車４２と共に一体的に回転する。
【００１８】
連動ギア６６ｂは、スプール２０ａの前方側に配置されたレベルワインド機構６６の駆動ギア６６ａに噛合されている。このレベルワインド機構６６は、外周面にトラバース溝が形成されかつ端部に駆動ギア６６ａが取り付けられたウォームシャフト（図示せず）と、このウォームシャフトを収容する筒体７０と、ウォームシャフトの回転に連動して、筒体７０に沿って左右に摺動する摺動体７２とを備えている。この摺動体７２に設けられた釣糸案内部材７４を介してスプール２０ａに釣糸を平行に巻回案内する。即ち、ハンドルアーム２２を回転操作すると、そのときの回転運動は、駆動歯車４２と一体回転する連動ギア６６ｂを介して駆動ギア６６ａに伝達され、ウォームシャフトを回転させる。このとき、ウォームシャフトの回転に連動して、摺動体７２と共に釣糸案内部材７４が左右に摺動することによって、釣糸はスプール２０ａ上に均等に巻回される。
【００１９】
スプール２０ａ上に巻回される釣糸に、例えば魚の引き等による一定限度以上の力が作用したときに、スプール２０ａを空転させて釣糸が切れるのを防止するドラグ機構４４は、ハンドル軸２６の外周部に螺合した制動力調節レバー５６を回動操作することで、そのドラグ力、すなわちスプール２０ａに作用する制動力が調整される。この制動力調節レバー５６は、駆動筒部２８ａおよび円筒突部２８ｂとハンドルアーム２２との間に配置されている。この制動力調節レバー５６は、ハンドル軸２６に螺合される中央ネジ孔６０ａが形成されたボス部６０を備えている。このボス部６０は、回り止め固定される形状を有することからハンドル軸２６に部分的に設けられた雄ネジ部２７に螺合されている。
【００２０】
駆動筒部２８ａ（一方向クラッチ６２の内輪部材）とボス部６０との間には、１対の皿バネ８２が介挿されている。制動力調節レバー５６が駆動筒部２８ａに近接する側に移動されたときに、ボス部６０の環状面６０ｂが、１対の皿バネ８２と駆動筒部２８ａ（一方向クラッチ６２の内輪部材）とを介して、ドラグ機構４４の金属ワッシャおよびライニング材を駆動歯車４２に弾力的に押圧する。したがって、ハンドル軸２６上においてその軸方向に移動される制動力調節レバー５６の軸方向位置によって、ハンドル軸２６と駆動歯車４２との間に形成される摩擦力の大きさ、すなわちスプール２０ａが釣糸繰出し方向に逆転するときのドラグ力が定められる。
【００２１】
本実施形態の制動力調節レバー５６は、ボス部６０から円筒突部２８ｂに近接する側に向かって円筒突部２８ｂの外周部を覆う環状壁８６が突出しており、その軸方向の全移動行程を通じて、円筒突部２８ｂと制動力調節レバー５６との間からそれらの内側に異物が侵入するのを防止している。
【００２２】
また、制動力調節レバー５６の抜け止め部材としても機能するハンドルアーム２２は、ハンドル軸２６の先端に形成した断面非円形の段部２６ａに回り止めされて装着されている。この段部２６ａには、図１（Ｂ）に示すように、回り止めされたハンドルアーム２２に対して遠位側に雄ネジ部２６ｂが形成されている。この雄ネジ部２６ｂには、締付部材９０が配設されている。このため、ハンドルアーム２２および制動力調節レバー５６がこのハンドル軸２６から抜出ることが防止される。これにより、ハンドルアーム２２は、段部２６ａ上での軸方向および周方向の移動を防止され、制動力調節レバー５６の軸方向移動距離は、このハンドルアーム２２と駆動筒部２８ａとにより制限される。
【００２３】
図２（Ａ）および図２（Ｃ）に示すように、締付部材９０は、段部２６ａの雄ネジ部２６ｂに螺合されるナット９２と、このナット９２の一方の開口部を閉塞するカバー９４とを備えている。ナット９２は、その内周面の全域にわたってネジが切られている。すなわち、このナット９２には不完全ネジ部は存在していない。このナット９２の一端部の外周面は、切り欠かれて段差部９２ａが形成されている。この段差部９２ａには、カバー９４が例えば圧入や係合などにより装着されている。このカバー９４は、ナット９２の一端を閉塞するための円盤状の閉塞面９４ａと、この閉塞面９４ａから立設された立設部９４ｂとを一体的に備えている。このカバー９４は、例えば金属材をプレス成型したり、樹脂材を金型成型したりすることなどにより形成される。なお、段部２６ａの雄ネジ部２６ｂの端部は、ナット９２の一端面と略面一となるように調整されている。または、ナット９２の高さは、ナット９２の一端面が段部２６ａの雄ネジ部２６ｂの端部と略面一となるように調整されている。この状態でカバー９４をナット９２の段差部９２ａに圧入や係合によって固定することによって、段部２６ａの雄ネジ部２６ｂの端部とナット９２の端部とを覆うことができる。このとき、袋状ナットに形成されるネジが切られ得ない部分（不完全ネジ部）が本実施形態の締付部材９０では存在し得ないので、不完全ネジ部による空間が形成されることを防止することができる。そうすると、ナット９２の雌ネジ部の高さ自体を不完全ネジ部を有するナットと同じ高さに設定したときに、袋状のナットを使用するよりも、本実施形態のように完全ネジ部を有するナット９２にカバー９４を配設した方が締付部材９０の高さを低くすることができる。このため、魚釣用リール１０の大きさや幅をその空間の分だけ小さくすることができる。また、カバー９４によってハンドル軸２６の段部２６ａの端部が閉塞されているので、外観も良好な状態を維持することができる。  
特に、図１（Ａ）に示すように、本実施形態のハンドルアーム２２は、締付部材９０が配設された位置からリール本体１２に近接するように曲げられたクランクハンドルであるため、図１（Ａ）中の左右方向の幅をより小さくすることができる。このため、ハンドルアーム２２の操作による釣糸の巻き取り操作を行なったときに、締付部材９０の全体的な高さが低く形成されているので、操作の邪魔になり難い。
【００２４】
図２（Ｂ）および図２（Ｃ）に示すように、本実施形態の締付部材９０のナット９２は、六角レンチ等で締め付け可能なように、六角ナットであることが好適である。
【００２５】
ところで、本実施形態では、図１（Ａ）および図１（Ｂ）に示す締付部材９０をハンドルアーム２２を固定するために設けることについて説明したが、図３に示すように、このような締付部材９０を、操作用ツマミ２２ａをハンドルアーム２２に支持させるために設けることも好適である。
【００２６】
この場合、操作用ツマミ２２ａは、貫通孔１０２ａを有するツマミ本体（操作部材）１０２と、このツマミ本体１０２の貫通孔１０２ａに貫通された軸部１０４とを備えている。ハンドルアーム２２に固定された軸部１０４の遠位側には、ツマミ本体１０２との間にボール軸受１０６が配設されている。さらに、軸部１０４の軸回りに配設されたスペーサ１０８がハンドルアーム２２とツマミ本体１０２との間に介挿されている。このため、ツマミ本体１０２は、ハンドルアーム２２に対して所定の距離離れた状態を保ちつつ、軸部１０４を支軸としてその軸回りに回転可能である。さらに、ハンドルアーム２２に対して軸部１０４の遠位端には、軸部１０４からツマミ本体１０２が抜けるのを止める締付部材９０が配設されている。この締付部材９０は、図２（Ａ）ないし図２（Ｃ）に示すナット９２およびカバー９４と同様に形成されているので説明を省略する。カバー９４も同様である。この場合も、ハンドル軸２６に締付部材９０を装着した場合と同様に、図１（Ａ）中に示す魚釣用リール１０の左右方向の幅をより小さくすることができる。
【００２７】
なお、本発明は上述の実施形態に特定されるものではなく、様々な機能部材の締付部材として実施できるとともに変更可能である。本実施形態では、締付部材９０をハンドルアーム２２や操作用ツマミ２２ａに設けることについて説明し、かつ、ハンドルアーム２２と制動力調節レバー５６とを共通の軸上で支持することについて説明した。その他、制動力調節レバー５６をハンドルアーム２２とは別の軸上に設ける場合がある。このような場合、上述した締付部材９０を制動力調節レバー（操作部材）５６に設けることも好適である。このように、締付部材９０は、回転／回動可能な操作部材に使用されると、その使用された領域をより小さく形成することができる。
【００２８】
これまで、本実施形態について図面を参照しながら具体的に説明したが、この発明は、上述した実施形態に限定されるものではなく、その要旨を逸脱しない範囲で行なわれるすべての実施を含む。
【図面の簡単な説明】
【００２９】
【図１】（Ａ）は、本発明の好ましい実施形態による魚釣用リールの概略的な部分断面図、（Ｂ）は、ハンドルアームをハンドル軸に装着した状態を示す（Ａ）中の拡大図。
【図２】図１（Ａ）および図１（Ｂ）に示す締付部材の構造を示し、（Ａ）はその部分断面図、（Ｂ）は（Ａ）中の２Ｂ方向から観察した状態を示す概略的な正面図、（Ｃ）は（Ａ）中の２Ｃ方向から観察した状態を示す概略的な正面図。
【図３】図１（Ａ）に示すハンドルアームの操作用ツマミに図２（Ａ）ないし図２（Ｃ）に示す締付部材を適用した状態を示す概略的な部分断面図。
【符号の説明】
【００３０】
１０…魚釣用リール、１２…リール本体、１４…連結部材、１６ａ，１６ｂ…フレーム、１８ａ．１８ｂ…側板、２０ａ…スプール、２０…スプール軸、２２…ハンドルアーム、２２ａ…操作用ツマミ、２４…ピニオンギア、２４ａ…周方向溝、２６…ハンドル軸、２６ａ…段部、２６ｂ…雄ネジ部、２７…雄ネジ部、２８ａ…駆動筒部、２８ｂ…円筒突部、３０，３０ａ…ボール軸受、３２…支持端部、３６…駆動機構、３８…バックラッシュ防止機構、４２…駆動歯車、４４…ドラグ機構、４８…ピニオン軸、５０…クラッチ機構、５６…制動力調節レバー、６０…ボス部、６０ａ…中央ネジ孔、６０ｂ…環状面、６２…一方向クラッチ、６６…レベルワインド機構、６６ａ…駆動ギア、６６ｂ…連動ギア、７０…筒体、７２…摺動体、７４…釣糸案内部材、８２…皿バネ、８６…環状壁、９０…締付部材、９２…ナット、９２ａ…段差部、９４…カバー、９４ａ…閉塞面、９４ｂ…立設部
【図１】
2007089447.tif 000003
【図２】
2007089447.tif 000004
【図３】
2007089447.tif 000005